(57)【特許請求の範囲】
【請求項１】
２重量％〜７０重量％のデキストリン脂肪酸エステルと３０重量％〜９８重量％の流動パラフィンからなる透明キャンドル用組成物。
【請求項２】
請求項１記載の透明キャンドル用組成物を用いてなる透明キャンドル。
【発明の詳細な説明】
【０００１】
【発明の属する技術分野】
本発明は、透明で美観に優れ、燃焼時に油煙の出にくい透明キャンドルに関するものである。
【０００２】
【従来の技術】
従来、キャンドルは、一般的に固形状のろうそくが主流であり、原料としては主にパラフィンワックスが用いられているが、パラフィンワックスを加熱溶解した後に型に充填し冷却して成型したキャンドルは乳白色となり、透明観が失われるため装飾用としての使用範囲が限られていた。これを改善するためのろうそく組成物として、脂肪族とポリアミンとの反応物である熱可塑性ポリアミド樹脂と可燃性溶剤からなるろうそく組成物の提案がある（特公昭５４−１２９４８）。しかし、ポリアミド樹脂を用いて可燃性溶剤をゲル化させて調製したろうそくは、燃焼時に油煙が出やすく、また燃焼中に芯の廻りの局所のみが液状化して途中で消火したときに芯の廻りに窪みが生じるため見栄えが悪くファンシー用途としては適していない。さらに、ポリアミド樹脂は窒素成分を含むことから、燃焼時に不快臭が生じたり、燃焼ガスの安全性に不安を与える。また、芳香剤として香料を加えた場合にも、燃焼時に芳香の立ちが悪いことなどの問題がある。
【０００３】
【発明が解決しようとする課題】
本発明は、透明で美観に優れ、使用時に油煙の出にくい透明キャンドル用組成物及び透明キャンドルを提供することを課題とする。
【０００４】
【課題を解決するための手段】
本発明者らは鋭意研究を行った結果、デキストリン脂肪酸エステルと流動パラフィンとからなるキャンドルは、透明で美観に優れ、燃焼時に芯の廻りが広範囲に液状化して芯への浸透性が良く完全燃焼して油煙が出にくいこと、また消火時には、液状化した部分が再度固化して燃焼前のように上面は平滑で透明な状態に復元することを見い出し、本発明を完成するに至った。
【０００６】
本発明は、２重量％〜７０重量％のデキストリン脂肪酸エステルと３０重量％〜９８重量％の流動パラフィンからなる透明キャンドル用組成物の提供である。
【０００７】
また、本発明は、前記透明キャンドル用組成物を用いて得られる透明キャンドルの提供である。
【０００８】
本発明のキャンドルは、固形状のいわゆるろうそく及び容器に充填された半固形状のキャンドルをいう。
【０００９】
本発明に用いられる流動パラフィンは、石油の軽質留分を留去した残りを分留し、精製して得られたものであり、一般用途、食品添加物用途及び化粧品用途等に使用されているものを何れも用いることが出来るが、透明性の高いものが好ましい。例えば化粧品工業用流動パラフィン（商品名；シルコールＰ−７０，Ｐ−５５、松村石油研究所（株）製）、（商品名；ダフニーオイルＫＰ１００、出光興産（株）製）、食品工業用流動パラフィン（商品名；ハイコールＫ−３５０，日本石油（株）製）等が知られている。
【００１０】
本発明は、組成物中の流動パラフィンの配合量を３０重量％〜９８重量％用いることによって達成することができる。流動パラフィンの配合量が３０重量％未満では透明性が低下するため、好ましくは６０重量％〜９０重量％の量を透明キャンドル用組成物（以下「組成物」という）中に含有することが望ましい。
【００１１】
本発明に用いられるデキストリン脂肪酸エステルは、デキストリンと脂肪酸とを公知のエステル化反応によって製造されるものであり、一般用途及び化粧品用途等に使用されているものを何れも用いることが出来るが、安定性、透明性の点から高級脂肪酸エステルであるミリスチン酸デキストリン（商品名；レオパールＭＫＬ、千葉製粉（株）製）、パルミチン酸デキストリン（商品名；レオパールＫＥ又はＫＬ、千葉製粉（株）製）、ラウリン酸デキストリン、ステアリン酸デキストリン、オレイン酸デキストリン、ベヘニン酸デキストリン等が好ましい。
【００１２】
該デキストリン脂肪酸エステルは次のようにして得られる。すなわち、ピリジン等の三級アミンを触媒とし、適当な溶媒中にてデキストリンと脂肪酸クロライドを８０℃以上の温度条件下で数時間〜８時間反応させ、アルコール系溶剤で洗浄後乾燥することによってデキストリン脂肪酸エステルの粉末が得られる。
【００１３】
本発明に用いるデキストリン脂肪酸エステルの配合量は組成物中に２重量％〜７０重量％用いることによって達成することができる。デキストリン脂肪酸エステルが２重量％未満では成型時に充分な保型性が得られず、７０重量％より多い場合には加熱溶解時に組成物の粘性が高まり成型時に気泡を抱き込み透明性が悪くなる。好ましくは５重量％〜４０重量％の量を組成物中に含有することが望ましい。
【００１４】
また、本発明の組成物中に透明性を阻害しない程度に必要に応じて液状又は固形の各種植物油、動物油、鉱物油、合成油、染料、香料、精油及びこれらの可溶化剤若しくは界面活性剤や消泡剤を加えることができる。例えば、植物油としてはオリーブ油、大豆油、椿油等、動物油としてはミンク油、卵黄油等、鉱物油としてはパラフィンワックス、マイクロクリスタリンワックス、ワセリン等、合成油としてはポリブテン、パルミチン酸２−エチルヘキシル等が使用できる。
【００１５】
本発明の透明キャンドルを作成するには、まず、本発明の組成物を加熱溶解後、流動性を保ちながら型若しくは容器に充填して放冷し固化させる。この時、芯として底部に固定できる座金付の鉛入り芯を型若しくは容器に入れた後に充填する方法と、組成物の加熱溶液を型若しくは容器に充填した後に鉛芯やパラフィンコートした芯をあとから挿入する方法とがある。次に、組成物が固化した後に型より取り出して製品とするか、または容器に充填したままで製品とするか何れの方法によっても透明キャンドルは得られるが、美観上から透明な容器等に充填したままで製品化することが好ましい。
【００１６】
【作用】
本発明に用いる流動パラフィンは常温で液体であり、デキストリン脂肪酸エステルは常温で固体であるが、デキストリン脂肪酸エステルを流動パラフィンに分散後加熱して溶解させた時、該溶液は低粘調液となり、冷却しても透明性を保ちながら固形化するために透明で美観に優れたキャンドルが得られる。また、流動パラフィンに溶解した脂肪酸エステルは芯への浸透性もよく、完全燃焼して油煙をほとんど発生しない。そして、燃焼時には芯の廻りが液状化し、消火時には液状化した部分が再度固化して燃焼前のように上面が平滑な透明キャンドルの状態に復元するという優れた特徴を示す。また流動パラフィン及びデキストリン脂肪酸エステルは燃焼時に有毒なガスの発生の心配がなく安心して使用できる。
【００１７】
【発明の実施の形態】
以下、実施例をあげて本発明を更に詳細に説明するが、本発明はこれらにより限定されるものではない。
【００１８】
なお、各実施例に示されたキャンドルの調製方法は以下の方法に基づいて行なった。
【００１９】
＜キャンドルの調製方法＞
粉末のデキストリン脂肪酸エステルを流動パラフィン中に攪拌しながら分散させ、７０℃〜１００℃程度に徐々に加熱してデキストリン脂肪酸エステルを溶解させる。また、必要に応じて液状及び固形の各種植物油、動物油、鉱物油、合成油、染料、香料、精油及びこれらの可溶化剤若しくは界面活性剤や消泡剤等を加え流動性を保ちながら型若しくは容器に充填し放冷する。なお、芯の固定方法及び製品の形態については実施例中に記載した。
【００２０】
＜製造例１＞（ラウリン酸デキストリン）
デキストリン３２．４ｇをジメチルホルムアミド２００ｇ、ピリジン１９０ｇとからなる混合溶媒に７０℃で分散させ、ラウリン酸クロライド１２５ｇを３０分間滴下した。滴下終了後、反応液を９０℃に保ちながら５時間反応させた。反応液をメタノールに沈澱させてから濾過し、沈澱物を再度メタノールで洗浄後、乾燥して白色の粉体を１１６ｇ得た。
【００２１】
（実施例１）
パルミチン酸デキストリン（商品名；レオパールＫＬ）                ８ｇ
流動パラフィン（商品名；シルコールＰ−７０）                    １０ｇ
流動パラフィン（商品名；ハイコールＫ−３５０）                  ８２ｇ
香料                                                              適量
香料を除く上記組成物を９０℃に加熱して溶解させたのちに香料を加え、予め座金付の鉛入り芯を入れた透明なガラス容器に充填し放冷してガラス容器入りキャンドルを得た。該キャンドルは透明で美しく、燃焼時には油煙が出ず、また消火した後に型崩れがなく、燃焼前のような上面が平滑で透明な状態を保っていた。また、香料の立ちもよく室内に好ましい香りを漂わせることができた。
【００２２】
（実施例２）
ラウリン酸デキストリン（製造例１）                              ２０ｇ
流動パラフィン（商品名；シルコールＰ−５５）                    ２０ｇ
流動パラフィン（商品名；ハイコールＫ−３５０）                  ６０ｇ
香料                                                              適量
染料                                                              適量
消泡剤                                                            適量
香料、染料及び消泡剤を除く上記組成物を８０℃に加熱して溶解させたのちに香料、染料及び消泡剤を加え、予め座金付の鉛入り芯を入れた透明なガラス容器に充填し放冷してガラス容器入りキャンドルを得た。該キャンドルは透明で鮮やかな色合いで美観に優れ、燃焼時には油煙が出ず、また消火した後に型崩れがなく、燃焼前のような上面が平滑で透明な状態を保っていた。また、香料の立ちもよく室内に好ましい香りを漂わせることができた。
【００２３】
（実施例３）
ミリスチン酸デキストリン（商品名；レオパールＭＫＬ）            １０ｇ
流動パラフィン（商品名；ハイコールＫ−３５０）                  ９０ｇ
香料                                                              適量
染料                                                              適量
消泡剤                                                            適量
香料、染料及び消泡剤を除く上記組成物を８０℃に加熱して溶解させたのちに香料、染料及び消泡剤を加え、予め座金付の鉛入り芯を入れた透明なガラス容器に充填し放冷してガラス容器入りキャンドルを得た。該キャンドルは透明で鮮やかな色合いで美観に優れ、燃焼時には油煙が出ず、また消火した後に型崩れがなく、燃焼前のような上面が平滑で透明な状態を保っていた。また、香料の立ちもよく室内に好ましい香りを漂わせることができた。
【００２４】
（実施例４）
パルミチン酸デキストリン（商品名；レオパールＫＬ）                ６ｇ
流動パラフィン（商品名；ハイコールＫ−３５０）                  ９４ｇ
上記組成物を９０℃に加熱して溶解させたのち、予め座金付の鉛入り芯を入れた透明なガラス容器に充填し放冷してガラス容器入りキャンドルを得た。該キャンドルは透明で美しく、燃焼時には油煙が出ず、また消火した後に型崩れがなく、燃焼前のような上面が平滑で透明な状態を保っていた。
【００２５】
（実施例５）
パルミチン酸デキストリン（商品名；レオパールＫＬ）              １５ｇ
流動パラフィン（商品名；ハイコールＫ−３５０）                  ８５ｇ
染料                                                              適量
消泡剤                                                            適量
染料及び消泡剤を除く上記組成物を８０℃に加熱して溶解させたのちに染料及び消泡剤を加え、予め座金付の鉛入り芯を入れた透明なガラス容器に充填し放冷してガラス容器入りキャンドルを得た。該キャンドルは透明で鮮やかな色合いで美観に優れ、燃焼時には油煙が出ず、また消火した後に型崩れがなく、燃焼前のような上面が平滑で透明な状態を保っていた。
【００２６】
（実施例６）
パルミチン酸デキストリン（商品名；レオパールＫＬ）              ２０ｇ
流動パラフィン（商品名；ハイコールＫ−３５０）                  ６０ｇ
オレイン酸                                                      ２０ｇ
染料                                                              適量
消泡剤                                                            適量
染料及び消泡剤を除く上記組成物を８０℃に加熱して溶解させたのちに染料及び消泡剤を加え、予め座金付の鉛入り芯を入れた透明なガラス容器に充填し放冷してガラス容器入りキャンドルを得た。該キャンドルは透明で鮮やかな色合いで美観に優れ、燃焼時には油煙が出ず、また消火した後に型崩れがなく、燃焼前のような上面が平滑で透明な状態を保っていた。
【００２７】
（実施例７）
パルミチン酸デキストリン（商品名；レオパールＫＬ）              １０ｇ
流動パラフィン（商品名；ハイコールＫ−３５０）                  ８０ｇ
オリーブ油                                                        ４ｇ
ポリブテン（商品名；パームリーム１８、日本油脂（株）製）          ３ｇ
大豆油                                                            ３ｇ
染料                                                              適量
消泡剤                                                            適量
染料及び消泡剤を除く上記組成物を９０℃に加熱して溶解させたのちに染料及び消泡剤を加え、予め座金付の鉛入り芯を入れた透明なガラス容器に充填し放冷してガラス容器入りキャンドルを得た。該キャンドルは透明で鮮やかな色合いで美観に優れ、燃焼時には油煙が出ず、また消火した後に型崩れがなく、燃焼前のような上面が平滑で透明な状態を保っていた。
【００２８】
（実施例８）
ミリスチン酸デキストリン（商品名；レオパールＭＫＬ）            ７０ｇ
流動パラフィン（商品名；ハイコールＫ−３５０）                  ３０ｇ
上記組成物を１００℃に加熱して溶解させたのち、予め座金付の鉛入り芯を入れてある型に充填し、放冷して固化した後に型より取り出した。該キャンドルは透明で、美観に優れ、燃焼時に油煙が出ず、また消火した後に型崩れせずに保型性を保っていた。
【００２９】
（実施例９）
ラウリン酸デキストリン（製造例１）                              ２５ｇ
流動パラフィン（商品名；ダフニーオイルＫＰ１００）              ７５ｇ
ラベンダーオイル                                                  適量
ラベンダーオイルを除く上記組成物を８０℃に加熱して溶解させたのちにラベンダーオイルを加え、予め座金付の鉛入り芯を入れた透明なガラス容器に充填し放冷してガラス容器入りキャンドルを得た。該キャンドルは透明で鮮やかな色合いで美観に優れ、燃焼時には油煙が出ず、また消火した後に型崩れがなく、燃焼前のような上面が平滑で透明な状態を保っていた。
【００３０】
【効果】
本発明の透明キャンドル組成物は透明で美観に優れ、燃焼時に芯の廻りが液状化し、芯への浸透性が良く完全燃焼して油煙が出にくいこと、また消火時には、液状化した部分が再度固化して燃焼前のように上面は平らな状態に復元すること、さらに有毒なガス発生の心配がないことから使用者が安心して使用することが出来る。